(57)【特許請求の範囲】
【請求項１】
金属外部切断要素と、前記金属外部切断要素に対して回転軸周りに回転可能な内部切断要素と、前記回転軸と同軸方向に延在している中心軸を持つとともに、前記外部切断要素の少なくとも一部を覆うディスク形状要素と、を有するロータリシェーバであって、前記ディスク形状要素が、前記ディスク形状要素に対向している前記外部切断要素の側面と前記外部切断要素に対向している前記ディスク形状の側面との間に延在している隆起した環状縁部により、前記外部切断要素と接触しており、前記隆起した環状縁部が、前記中心軸に対して平行な方向において、少なくとも０．１ミリメートルの高さを持つとともに、前記中心軸に対する半径方向において０．３５ミリメートルよりも小さい幅を持つ、ロータリシェーバ。
【請求項２】
前記環状縁部が、途切れずに連続的な縁部である、請求項１記載のロータリシェーバ。
【請求項３】
前記環状縁部は、前記ディスク形状要素の一部を形成している、請求項１又は２に記載のロータリシェーバ。
【請求項４】
前記ディスク形状要素が、ディスク形状カバー部材を有し、前記環状縁部が、前記ディスク形状カバー部材の周囲に沿って、前記外部切断要素に対向している前記ディスク形状カバー部材の側面上に延在している、請求項３記載のロータリシェーバ。
【請求項５】
前記環状縁部は、前記外部切断要素の一部を形成している、請求項１又は２に記載のロータリシェーバ。
【請求項６】
前記環状縁部が、前記外部切断要素と前記ディスク形状要素との間に存在し、前記環状縁部の前記高さ以上のギャップ高を持つギャップを囲んでいる、請求項１乃至５のいずれか１項に記載のロータリシェーバ。
【請求項７】
前記ディスク形状要素が、プラスチックでできている、請求項１乃至６のいずれか１項に記載のロータリシェーバ。
【請求項８】
前記ディスク形状要素と前記外部切断要素とが、前記環状縁部上に設けられた接着剤により互いに接続されている、請求項１乃至７のいずれか１項に記載のロータリシェーバ。
【請求項９】
前記外部切断要素が、通路を備え、前記ディスク形状要素が、長さを持つ仕切りを備え、前記仕切りが、前記通路内に圧入され、前記通路の壁と前記仕切りとの間に、少なくとも前記仕切りの前記長さ方向に沿って、少なくとも１つのベントが延在している、請求項１乃至８のいずれか１項に記載のロータリシェーバ。
【発明の詳細な説明】
【技術分野】
【０００１】
本発明は、金属外部切断要素と、外部切断要素に対して回転軸周りに回転可能な内部切断要素と、回転軸と同軸方向に延在している中心軸を持つとともに、外部切断要素の少なくとも一部を覆うディスク形状要素とを有するロータリシェーバに関する。
【背景技術】
【０００２】
金属外部切断要素の一部が、ロータリシェーバの外観を改善するために、ディスク形状のキャップによって隠されている、ロータリシェーバが知られている。ディスク形状のキャップは、金属外部切断要素上に設けられ、これにより、金属外部切断要素における穴及び／又は開口が、ディスク形状のキャップによって隠され、良好な外観が得られる。金属外部切断要素とキャップとの間に比較的小さな隙間がある場合、空気、水などが隙間において流れることができないため、隙間における酸と塩基との間の移行は、比較的困難又は不可能にさえなり、結果、ディスク形状のキャップと金属外部切断要素との間の環境は、より攻撃的となり、隙間の腐食が発生するであろう。
【発明の概要】
【発明が解決しようとする課題】
【０００３】
独国実用新案第７８２９２５４号明細書は、ネジのためのカバー部材を開示している。当該カバー部材は、中心に配置されたスナップ要素を有し、これにより、カバー部材は、ネジの頭における中央十字開口に接続されることができる。ネジに対向しているカバー部材の側面は、その周囲に縁を備えている。
【０００４】
独国特許出願公開第１０１１１９３９号明細書は、ネジのためのカバー部材を開示している。このカバー部材は、中心に配置された仕切りを有し、これにより、カバー部材は、ネジの頭における中央十字開口に接続されることができる。
【０００５】
欧州特許出願公開第１３７５０８９号明細書は、ネジカバーを備えるネジにより相互接続されたフロント筺体部及びリア筐体部を有する電気シェーバを開示している。
【課題を解決するための手段】
【０００６】
前述のように、本発明の一般的な目的は、外部切断要素の外観を改善するために、ディスク形状要素が用いられ、ディスク形状要素と外部切断要素との間の隙間の腐食が回避される、ロータリシェーバを供給することである。
【０００７】
第１の態様によれば、本発明は、初めの段落において説明されたタイプのロータリシェーバであって、ディスク形状要素が、ディスク形状要素に対向している外部切断要素の側面と外部切断要素に対向しているディスク形状の側面との間に延在している隆起した環状縁部により、外部切断要素と接触しており、隆起した環状縁部が、中心軸に対して平行な方向において、少なくとも０．１ミリメートルの高さを持つとともに、中心軸に対する半径方向において０．３５ミリメートルよりも小さい幅を持つ、ロータリシェーバを提供する。
【０００８】
ディスク形状要素と外部切断要素との間の縁部のため、上記要素は、互いに０．１ミリメートルよりも大きい距離を空けて配置される。ディスク形状要素と外部切断要素との間の上記距離により、隙間の腐食が発生しない。
【０００９】
縁部自体は、０．３５ミリメートルよりも小さいため、縁部においても、隙間の腐食が生じない。
【００１０】
他の態様によれば、本発明は、環状縁部が途切れずに連続的な縁部であるロータリシェーバを提供する。
【００１１】
途切れずに連続的な環状縁部は、ディスク形状要素と外部切断要素との間に、中間スペースを具備する複数の環状部から作られた環状縁部よりも大きな接触領域を供給するが、上記の途切れずに連続的な環状縁部は、隙間の腐食に対して、複数の環状部を有する環状縁部よりも良好な保護を供給することが分かっている。
【００１２】
他の態様によれば、本発明は、環状縁部がディスク形状要素の一部を形成するロータリシェーバを提供する。
【００１３】
かかる環状縁部は、隆起した縁部が外部切断要素に向かって延在する、ディスク形状要素の一体部分として容易に作られることができる。
【００１４】
他の態様によれば、本発明は、ディスク形状要素が、ディスク形状カバー部材を有し、環状縁部が、ディスク形状カバー部材の周囲に沿って、外部切断要素に対向しているディスク形状カバー部材の側面上に延在している、ロータリシェーバを提供する。
【００１５】
ディスク形状カバー部材は、外部切断要素の少なくとも一部を覆い、環状縁部により、ディスク形状カバー部材と外部切断要素との間の隙間の腐食が回避される。
【００１６】
他の態様によれば、本発明は、環状縁部が、外部切断要素の一部を形成している、ロータリシェーバを提供する。
【００１７】
かかる環状縁部は、隆起した縁部がディスク形状要素に向かって延在する、外部切断要素の一体化部分として容易に作られることができる。
【００１８】
他の態様によれば、本発明は、環状縁部が、外部切断要素とディスク形状要素との間に存在し、環状縁部の高さ以上のギャップ高を持つギャップを囲んでいる、ロータリシェーバを提供する。
【００１９】
上記ギャップが、環状縁部の高さ以上のギャップ高さを持つため、ディスク形状要素と外部切断要素との間の隙間の腐食が防止される。
【００２０】
他の態様によれば、本発明は、ディスク形状要素がプラスチックでできている、ロータリシェーバを提供する。
【００２１】
上記ディスク形状形状要素は、環状縁部が、射出形成プロセスの間、ディスク形状要素の一体化部分として形成されることができ、射出形成により容易に作られることができる。
【００２２】
他の態様によれば、本発明は、ディスク形状要素及び外部切断要素が、環状縁部上に供給される接着剤により、互いに接続されている、ロータリシェーバを提供する。
【００２３】
接着剤は、ディスク形状要素と外部切断要素とを互いに接続するための簡単な態様を供給する。ここで、環状縁部が、隙間の腐食を防止するために、及び、接着剤を付与するための良好に定義された領域を供給するために、用いられる。
【００２４】
他の態様によれば、本発明は、外部切断要素が、通路を備え、ディスク形状要素が、長さを持つ仕切りを備え、仕切りが、通路内に圧入され、通路の壁と仕切りとの間に、少なくとも仕切りの長さ方向に沿って、少なくとも１つのベントが延在している、ロータリシェーバを提供する。
【００２５】
ディスク形状要素を外部切断要素に接続することによって、ディスク形状要素の仕切りが、外部切断要素の通路内に挿入されて押され、これにより、ディスク形状要素が外部切断要素にしっかりと接続されるよう、圧入が得られる。外部切断要素からディスク形状要素を取り外すため、通路から仕切りを引き抜くべく、ディスク形状要素に力が付与される必要がある。かかる接続の場合、接着剤は必要でない。
【００２６】
ロータリシェーバの使用中、ディスク形状要素及び外部切断要素は、加熱され得る。この加熱中、仕切りの端部近傍の通路内の空気が、膨張する。膨張した空気のために仕切りが通路から押し出されることを回避するため、少なくとも１つのベントが、少なくとも仕切りの長さ方向に沿って延在する。少なくとも１つのベントを通じて、空気が、通路における空気圧を緩和するように流れることができる。少なくとも１つのベントにより、ディスク形状要素及び外部切断要素が加熱される場合であっても、ディスク形状要素と外部切断要素との間の圧入接続が維持される。
【図面の簡単な説明】
【００２７】
本発明に従ったロータリシェーバが、図面を参照して更に説明される。
【図１】図１は、本発明に従ったロータリシェーバの概略斜視図である。
【図２】図２は、図１に示されるロータリシェーバの側面図である。
【図３】図３は、図１に示されるロータリシェーバの概略断面図である。
【図４】図４は、図１に示されるロータリシェーバの外部切断要素及びディスク形状キャップの分解斜視図である。
【図５】図５は、図１に示されるロータリシェーバのディスク形状キャップの第１の実施形態の一部の斜視図である。
【図６】図６は、図４に示されるディスク形状キャップを有する、図１に示されるロータリシェーバの拡大断面図である。
【図７】図７は、図５に示されるロータリシェーバの更なる拡大断面図である。
【図８】図８は、図１に示されるロータリシェーバのディスク形状キャップの第２の実施形態の一部の斜視図である。  各図面において、同様の参照符号が、同様の要素を示している。
【発明を実施するための形態】
【００２８】
図１及び図２は、本発明に従ったロータリシェーバ１を示している。図１及び図２に示されるシェーバ１は、シェーバのユーザによって把持されるのに適したメイン筺体２を有している。シェーバ１は、剃られる毛を持つ肌の領域に接触するのに適しており、当該領域を適切に移動されるヘアカットモジュール３を更に有している。当該ヘアカットモジュール３は、中心シャフト部材４を通じて、メイン筺体２に接続されており、ヘアカットモジュール３のメイン筺体２に対する接続は取り外し可能である。中心シャフト部材４の断面寸法は、ヘアカットモジュール３の断面寸法よりも極めて小さく、ヘアカットモジュール３は、メイン筺体２の上部５から特定の距離を空けて配置されている。結果、メイン筺体２とヘアカットモジュール３との間の接続は、ほっそりとした姿となり、ヘアカットモジュール３は、メイン筺体２に対して、上昇した位置を有する。このため、ユーザが、シェーバ１を用いることによりシェービング動作を実行する場合、彼は、ヘアカットモジュール３の側面を明確に見ることができる。
【００２９】
ヘアカットモジュール３は、三角形状に配置された３つの切断ユニット６を有する。本発明の範囲において、切断ユニット６の数は、２つであってもよいし、又は、３つより多くてもよい。完全を期すために、シェービングされる肌の領域の輪郭に切断ユニット６の各々を沿わせることを促進するために、切断ユニット６の各々は、ある程度、可動的に構成されてもよいことに留意すべきである。例えば、切断ユニット６は、中心シャフト部材４に対して、限られた程度に、ピボット可能であってもよい。各切断ユニット６は、切断ユニット６の上部に配置された金属外部切断要素７を有し、これは、切断される毛を通過させる複数の開口８を持つ。金属外部切断要素７は、切断ユニット６のベース部９にピボット可能に接続されている。外部切断要素７の真下、切断ユニット６の内部に、金属内部切断要素（外部からは見えない）が、回転可能に配置されている。動作中、内部切断要素の中心部は、スプリング力の下、金属外部切断要素７に対して押される。
【００３０】
切断ユニット６の内部切断要素は、歯車を介して、メイン筺体２におけるモータから、ヘアカットモジュール３の内部へ、中心シャフト部材４を通じて延在しているメイン駆動軸により、駆動される。
【００３１】
これまで説明されたシェーバ１は、本出願人名義の国際公開第２０１１／０５５３２３号及び国際公開第２００８／１０１３９号から知られている。
【００３２】
本発明に従ったシェーバ１の場合、切断ユニット６の外部切断要素７が、装飾的な機能を持つ、プラスチックのディスク形状要素又はキャップ１０を備える。
【００３３】
図３及び図４は、シェーバ１の概略的断面図及び分解斜視図であり、それぞれ、金属外部切断要素７及びプラスチックのディスク形状キャップ１０を示している。外部切断要素７は、軸１２に沿って延在している、中央配置された円筒形状の通路１１を備えている。軸１２は、内部切断部材の回転軸と同軸である。軸１２は、外部切断要素７の主な外部表面１３に対して垂直に延在している。ディスク形状キャップ１０は、ディスク形状カバー部材１４、及び、軸１２周りに対称的に延在している連続的な（エンドレスの）環状縁部１５を有している。縁部１５は、外部切断要素７に対向しているディスク形状キャップ１０の側面に対して隆起しており、ディスク形状キャップ１０の側面とディスク形状キャップ１０に対向している外部切断要素７の側面との間に延在している。特に、縁部１５は、ディスク形状カバー部材１４から外部切断要素７の主な外部表面１３に向かって延在している。縁部１５は、ディスク形状キャップ１０の側面上、ディスク形状カバー部材１４の円周周り端部１６近傍に配置されており、即ち、縁部１５は、円周周り端部１６に沿って延在している。縁部１５は、軸１２の半径方向において、０．３５ミリメートルよりも小さい幅Ｗを持ち、好ましくは、可能な限り小さい。縁部１５は、軸１２に対して平行な方向において、少なくとも０．１ミリメートルの高さＨを持つ。縁部１５のために、ディスク形状カバー部材１４は、外部切断要素７の主な外部表面から距離Ｈを空けて保たれる。
【００３４】
縁部１５の幅Ｗ、及び、ディスク形状キャップ１０のディスク形状カバー部材１４と外部切断要素７の主な外部表面１３との間の高さＨの寸法のために、ディスク形状キャップ１０と外部切断要素７の主な外部表面１３との間の隙間が回避される。
【００３５】
軸１２において、ディスク形状キャップ１０は、ディスク形状カバー部材１４に対して垂直に延在している仕切り１７を備える。仕切り１７は、外部切断要素７に対してディスク形状キャップ１０を接続するために、外部切断要素７の通路１１に圧入されている。仕切り１７及び／又は通路１１の壁は、仕切り１７に沿ってベントを形成する溝又はリブを備えている。
【００３６】
図３において、小さなギャップ１８が、外部切断要素７の外部表面１３と縁部１５の外部表面１９との間に示されている。当該ギャップ１８は、０ミリメートルであるように設計されるが、現実には、表面の不均一性、及び、仕切り１７が圧入された後のメイン部１４の屈曲のために作られる、０．１ミリメートルよりも小さいわずかなギャップが存在するであろう。かかる小さなギャップは、隙間の腐食を作る可能性があるが、エンドレスな環状縁部１５のため、腐食効果は、極めて小さいであろう。
【００３７】
図３において、外部切断要素７の外部表面１３とディスク形状カバー部材１４との間に、大きなギャップ２０が示されている。当該ギャップ２０は、環状縁部１５の高さＨと等しいギャップ高さを持つ。
【００３８】
図５は、ディスク形状カバー部材１４と、途切れのない連続的な（エンドレスの）環状縁部１５とを有する、シェーバ１のディスク形状キャップ１０の一部の斜視図を示している。
【００３９】
図６及び図７は、シェービングされる毛を通過させるための開口８を具備する外部切断要素７を示している、シェーバ１の拡大断面図である。図５及び図６に示されるディスク形状キャップ１０は、円周周り端部１６の近傍よりも軸１２近傍で厚いディスク形状カバー部材１４を持つ。縁部１５のため、ディスク形状カバー部材１４と外部切断要素７の主な外部表面１３との間の距離Ｈは、少なくとも０．１ミリメートルである。図６において最も良く分かるように、縁部１５は、ディスク形状カバー部材１４の近傍で、例えば、０．３５ミリメートルの幅Ｗ１を持ち、外部切断要素７の主な外部表面１３の近傍で、例えば、０．１４ミリメートルの幅Ｗ２を持つ。かかる縁部１５を具備するディスク形状キャップ１０は、射出形成によって、プラスチックで容易に作られることができる。小さい幅Ｗ２のため、隙間の腐食が防止され、幅Ｗ１と幅Ｗ２との違いのため、射出形成によって、所望のドラフトが得られる。
【００４０】
ディスク形状キャップ１０及び外部切断要素７を十分離して維持するため、比較的小さい幅と最小の高さを有する途切れのない連続的な（エンドレスの）環状縁部１５は、ディスク形状キャップ１０と外部切断要素７との間の隙間の腐食を防ぐ。
【００４１】
図８は、図１に示されるシェーバ１のディスク形状キャップ１０の第２の実施形態の斜視図である。ディスク形状キャップ１０は、環状縁部１５が、中間スペース１９を具備する複数の環状部１１８を有するという点で、図５及び図６に示されるディスク形状キャップ１０とは異なる。各環状部１１８は、縁部１５と同じ断面、同じ幅Ｗ１、Ｗ２、同じ高さＨを持つ。各環状部１１８は、円周周りの方向において、長さＬ１を持つ。２つの隣接する環状部１１８の間には、中間スペース１１９が、円周周りの方向において、長さＬ２を持つ。実際には、隙間の腐食が全く発生しないか、ほとんど発生せず、及び、縁部１５が、外部切断要素７上にディスク形状キャップ１１０の良好な支持を供給する結果として、最適化された長さＬ１、Ｌ２が決定されることができる。
【００４２】
外部切断要素７の主な外部表面１３、及び／又は、外部切断要素７の主な外部表面１３に向かって方向付けられたディスク形状カバー部材１４の表面が曲がっている場合、縁部１５の高さＨは、少なくとも、外部切断要素７の主な外部表面１３と外部切断要素７の主な外部表面１３に向かって方向付けられたディスク形状カバー部材１４の表面との間のギャップ２０のギャップ高さが、０．１ミリメートルよりも大きいように、あるべきである。
【００４３】
環状縁部は、プラスチックのディスク形状キャップの一部である代わりに、金属の外部切断要素７の一部を形成していてもよい。
【００４４】
ディスク形状要素は、アルミニウム又は鉄などの、金属でできていてもよく、この場合、ディスク形状要素と外部切断要素との両方が金属で作られる。
【００４５】
ディスク形状要素と外部切断要素とは、接着剤によって、環状縁部で互いに接続されることも可能であり、この場合、圧入接続の必要はない。
【００４６】
当該技術分野における当業者は、本発明が、好ましい実施形態に決して限定されないことを理解するであろう。開示の実施形態に対する他の変形が、図面、開示、及び、添付の請求項の研究から、本発明を実施する際、当該技術分野における当業者によって、理解及び実現され得る。
【００４７】
請求項中、「有する」なる用語は、他の要素又はステップを除外せず、単数形は、複数であることを除外しない。特定の手段が相互に異なる従属項において言及されているという単なる事実は、これらの手段の組み合わせが好適に用いられないということを示すものではない。
【符号の説明】
【００４８】
１  シェーバ
２  メイン筺体
３  ヘアカットモジュール
４  中心シャフト部材
５  上部
６  切断ユニット
７  外部切断要素
８  開口
９  ベース部
１０  ディスク形状キャップ
１１  円筒形状通路
１２  中心軸
１３  外部表面
１４  ディスク形状カバー部材
１５  環状縁部
１６  円周端部
１７  仕切り
１８  ギャップ
１９  外部表面
２０  ギャップ
１１０  ディスク形状キャップ
１１８  環状部
１１９  中間スペース
Ｈ  高さ
Ｌ１  長さ
Ｌ２  長さ
Ｗ  幅
Ｗ１  幅
Ｗ２  幅
【図１】
0005947994.tif 000002
【図２】
0005947994.tif 000003
【図３】
0005947994.tif 000004
【図４】
0005947994.tif 000005
【図５】
0005947994.tif 000006
【図６】
0005947994.tif 000007
【図７】
0005947994.tif 000008
【図８】
0005947994.tif 000009